(57)【特許請求の範囲】
【請求項１】
ソレノイドに電源を供給するためのリード線コネクタにおいて、
前記ソレノイドの外部に突き出た絶縁ブロック；
前記絶縁ブロックの内部に設けられて、前記ソレノイドと電気的に連結された電源端子；
前記電源端子に連結されて前記絶縁ブロックの外部に延びたリード線；
前記リード線の少なくとも一部を被うワイヤチューブ；及び
前記リード線の端部に設けられたコネクタを含み、
前記リード線は、前記絶縁ブロックの外部でＵ字状にベンディングされて、前記絶縁ブロックの外壁に付着及び固定され、
前記リード線の挿入される挿入溝が前記絶縁ブロックの外壁に形成され、
前記ソレノイドの端部に結合されるキャップをさらに含み、前記キャップの外壁と前記コネクタの外壁のうち、いずれか一方に係止片が形成されて、他方に係止溝が形成されたことを特徴とするリード線コネクタ。
【請求項２】
前記ソレノイドの外壁と前記コネクタの外壁のうち、いずれか一方に係止片が形成されて、他方に係止溝が形成されたことを特徴とする、請求項１に記載のリード線コネクタ。
【請求項３】
前記絶縁ブロックの外壁と前記コネクタの外壁のうち、いずれか一方に係止片が形成されて、他方に係止溝が形成されたことを特徴とする、請求項１に記載のリード線コネクタ。
【請求項４】
前記キャップには、前記リード線を巻くためのバンドが設けられたことを特徴とする、請求項１に記載のリード線コネクタ。
【請求項５】
前記ワイヤチューブは編組チューブであることを特徴とする、請求項１ないし請求項４のいずれかに記載のリード線コネクタ。
【請求項６】
前記リード線が引き出される前記絶縁ブロックの一端にエポキシが塗布されたことを特徴とする、請求項１ないし請求項４のいずれかに記載のリード線コネクタ。
【発明の詳細な説明】
【技術分野】
【０００１】
本発明は、リード線コネクタに関し、より詳細には、水気を含む異物の流入を防ぐことができ、結合及び分離のためのレイアウト設計が容易であり、運搬及び保管の便利なリード線コネクタ及びこれを含むソレノイド弁に関する。
【背景技術】
【０００２】
エンジンは、燃料を燃焼して機械的な動力を発生させる装置である。エンジンは、作動方式によって２ストローク機関、４ストローク機関、ロータリーエンジンなどに分けられる。このようなエンジンには、潤滑油を循環させるためのオイルポンプと、オイルポンプから吐出されるオイルの圧力が上昇しすぎることを防ぐためのリリーフ弁が配設される。
【０００３】
変速機は、エンジンで発生する動力を速度によって必要な回転力に変換して伝達する装置である。変速機には、変速過程が運転者により受動に行われる受動変速機と、一定のパターンで自動に行われる自動変速機がある。この中で、自動変速機はトルクコンバータ、作動器具、遊星歯車装置、電子制御装置、油圧制御器具を含む。そして、油圧制御器具には、自動変速機内の油圧を一定に維持するための油圧調節弁が設けられる。
【０００４】
一方、ソレノイド弁は、電源の印加有無によって自動に開放または閉鎖してオイルを特定の位置に供給するか、供給されるオイルの圧力、すなわち油圧を調節する手段である。このようなソレノイド弁は、オイルポンプのリリーフ弁、油圧制御器具の油圧調節弁として使用され、内部の構造によってスプールタイプ（ｓｐｏｏｌ  ｔｙｐｅ）、ボールタイプ（ｂａｌｌ  ｔｙｐｅ）、ポペットタイプ（ｐｏｐｐｅｔ  ｔｙｐｅ）などに分けられる。
【０００５】
韓国公開特許第２０１１−０１１０２０４号（２０１１．１０．０６）及び第２０１２−０１０１３１９号（２０１２．０９．１３）には様々な種類のソレノイド弁が開示されている。
【０００６】
前者のソレノイド弁は、オイルを制御するバルブと、前記バルブを作動するソレノイドからなり、電源連結部であるコネクタがソレノイドの上段に設けられる。
【０００７】
上述のソレノイド弁は、バルブが装置（エンジンまたは変速機）の内部に挿入するように取り付けられる構造を有する。すなわち、ソレノイド弁を取り付ける際にソレノイドとコネクタが装置の外部に露出するため、水気を含む異物がコネクタを通じてソレノイド部に流入されることがある。特に、コネクタの開口部が上部に向かう場合、コネクタに連結されたリード線に沿って流れた雨水がソレノイド部に易く流入される。
【０００８】
このような問題点は、コネクタがソレノイドの側面に突き出た後者の油圧弁にも同様に適用されるところ、水気を含む異物の流入を防げる構造が要求されている。
【０００９】
また、従来のソレノイド弁（油圧弁）は、前述のように、少なくとも一部が装置の外部に突き出るため、コネクタの結合及び分離のための空間が設けられるべきであり、エンジンルームのレイアウト設計が容易でない短所を有している。
【発明の概要】
【発明が解決しようとする課題】
【００１０】
本発明は、前述した従来技術の問題点を解決するためのものであって、水気を含む異物の流入を防ぐことができ、結合及び分離のためのレイアウト設計が容易であり、運搬及び保管の便利なリード線コネクタ及びこれを含むソレノイド弁を提供することにその目的がある。
【課題を解決しようとする手段】
【００１１】
前記目的を達するために本発明によるリード線コネクタは、ソレノイドの外部に突き出た絶縁ブロックと、前記絶縁ブロックの内部に設けられて前記ソレノイドと電気的に連結された電源端子と、前記電源端子に連結されて前記絶縁ブロックの外部に延びたリード線と、前記リード線の少なくとも一部を被うワイヤチューブと、前記リード線の端部に設けられたコネクタを含む。
【００１２】
前記リード線は、前記絶縁ブロックの外部でＵ字状にベンディングされて、前記絶縁ブロックの外壁に付着及び固定される。このとき、前記絶縁ブロックの外壁には前記リード線が挿入される挿入溝が形成される。
【００１３】
前記ソレノイドの外壁と前記コネクタの外壁のうち、いずれか一方に係止片が形成されて、他方に係止溝が形成されてもよい。また、前記絶縁ブロックの外壁と前記コネクタの外壁のうち、いずれか一方に係止片が形成されて、他方に係止溝が形成されてもよい。
【００１４】
一方、ソレノイド弁は、電源の印加有無によって作動するソレノイドを含む。前記ソレノイドは、外周面にコイルが巻かれた中空ボビンと、前記ボビンの両端のうち少なくとも一端に結合されて、前記コイルで発生した磁気力を誘導する固定鉄芯と、前記ボビンの内部に移動可能に配設されて前記固定鉄芯により誘導された磁気力によって移動する可動鉄芯と、前記ボビン、前記固定鉄芯、前記可動鉄芯を被う筺体と、リード線コネクタを含む。このとき、リード線コネクタは、絶縁ブロック、電源端子、リード線、ワイヤチューブ、コネクタからなる。
【発明の効果】
【００１５】
上述した本発明の構成によれば、ソレノイドとコネクタの間にリード線が設けられるため、コネクタの位置を自由に変更することができる。したがって、エンジンルームのレイアウト設計時にソレノイドの配設空間が多少狭いとしても、コネクタを結合または分離することには影響を与えない。
【００１６】
また、本発明のリード線は、絶縁ブロックの外部でＵ字状にベンディングされるため、リード線に水気が生じてもベンディング部位で落ちて絶縁ブロックの内部に流入されるおそれはない。特に、リード線が引き出される絶縁ブロックの一端にエポキシを塗布する場合、水気が流入されることを確実に防ぐことができる。
【００１７】
また、本発明のリード線は、Ｕ字状にベンディングされて絶縁ブロックの外壁に付着及び固定されるため、嵩を最小限にすることができ運搬及び保管が便利である。
【図面の簡単な説明】
【００１８】
【図１】本発明の一実施形態によるリード線コネクタを含むソレノイド弁の斜視図。
【図２】本発明の一実施形態によるリード線コネクタを含むソレノイド弁の断面図。
【図３】本発明の一実施形態によるリード線コネクタを拡大した図面。
【図４】本発明の一実施形態によるリード線コネクタを含むソレノイド弁の中で、係止手段を示した図面。
【図５】本発明の一実施形態によるリード線コネクタを示した図面。
【図６】本発明の一実施形態によるリード線コネクタを示した図面。
【図７】本発明の他の実施形態によるリード線コネクタを含むソレノイド弁の分解斜視図 。
【図８】本発明の他の実施形態によるリード線コネクタの変形例を示す図面。
【発明を実施するための形態】
【００１９】
添付図面を参照しながら本発明による実施形態を詳説する。以下、本発明による実施形態を説明するにおいて、そして各図面の構成要素らに参照符号を付するにおいて、等しい構成要素らについては、たとえ他の図面上に示されたとしても、できるだけ等しい符号を付した。
【００２０】
図１と図２に示されたように、本発明の一実施形態によるソレノイド弁は、オイルの出入りを管理するバルブ１００と、バルブ１００を作動するソレノイド２００と、ソレノイド２００に電源を供給するためのリード線コネクタ３００からなる。このとき、本発明は、リード線コネクタ３００の構造を改善してエンジンルームのレイアウト設計を容易にし、水気を含む異物の流入を防ぐためのものであり、バルブ１００及びソレノイド２００については簡単に説明する。
【００２１】
バルブ１００は、ホルダー１１０と、ホルダー１１０の内部に移動可能に配設されたスプール１２０と、スプール１２０の上部に結合された圧力調節スクリュー１３０と、スプール１２０と圧力調節スクリュー１３０の間に介したスプリング１４０を含む。
【００２２】
ホルダー１１０は、中空円筒（ｐｉｐｅ）状であり、外周面には複数のポート１１２が形成される。スプール１２０は、所定の長さを有する棒状であり、外周面には複数のポート１１２を選択的に連結する連結溝１２２が形成される。圧力調節スクリュー１３０は、ホルダー１１０の上部にねじ結合してスプール１２０の移動を制限し、これを通じてポート１１２の開放量を調節することで、外部に排出されるオイルの圧力を調節する。スプリング１４０は、スプール１２０を下向きに弾性支持する弾性体であり、スプール１２０の移動時に発生する衝撃を吸収する。
【００２３】
ソレノイド２００は、筺体２１０と、筺体２１０の内部に配設されたボビン２２０と、ボビン２２０の外周面に巻かれたコイル２３０と、ボビン２２０の上部及び下部にそれぞれ結合されて、その一部がボビン２２０の内部に挿入される固定鉄芯２４０、２５０と、ボビン２２０の内部に移動可能に配設される可動鉄芯２６０と、可動鉄芯２６０を貫通して結合されるロード２７０を含む。
【００２４】
固定鉄芯２４０、２５０は、ボビン２２０の上部に結合される芯２４０と、ボビン２２０の下部に結合されるヨーク２５０からなる。芯２４０とヨーク２５０は、電源印加時にコイル２３０で発生した磁場を誘導して可動鉄芯２６０を移動させる。
【００２５】
本実施形態では、バルブ１００及びソレノイド２００の構造を上述のように例示しているが、必ずしもこれに限られるのではなく、様々な構造のバルブ１００及びソレノイド２００が適用されてもよい。
【００２６】
図２と図３に示されたように、リード線コネクタ３００は、ボビン２２０の一側に設けられて、筺体２１０の外部に突き出た絶縁ブロック３１０と、絶縁ブロック３１０の内部に設けられてコイル２３０と電気的に連結された電源端子３２０と、電源端子３２０に連結されて絶縁ブロック３１０の外部に延びたリード線３３０と、リード線３３０の少なくとも一部を被うワイヤチューブ３４０と、リード線３４０の端部に設けられたコネクタ３５０を含む。
【００２７】
絶縁ブロック３１０は、コイル２３０とリード線３３０の連結部である電源端子３２０を保護するためのものである。絶縁ブロック３１０は、ボビン２２０の下段一側において筺体２１０の外部に突き出て、筺体２１０の下段から上段へ延びた形象を有する。さらに詳細には、断面が長方形であり、上下に長く延びた直方体状を有する。絶縁ブロック３１０の内部には、コイル２３０の端部とリード線３３０の端部が挿入される通路３１２が形成される。通路３１２の中段には、コイル２３０とリード線３３０を連結する電源端子３２０が設けられる。絶縁ブロック３１０の外部には、リード線３３０が付着及び固定される挿入溝３１４が形成される。
【００２８】
挿入溝３１４は、絶縁ブロック３１０の外部に延びたリード線３３０がＵ字状にベンディングされるように、リード線３３０を絶縁ブロック３１０に付着及び固定するためのものである。このような挿入溝３１４は、リード線３３０を挿入できるように少なくとも一部分が開放されて、絶縁ブロック３１０の外壁に形成されるものの、絶縁ブロック３１０の長さ方向に延びた形態を有する。
【００２９】
電源端子３２０は、コイル２３０とリード線３３０を電気的に連結する一般的な形態の端子である。すなわち、電源端子３２０は、コイル２３０の端部とリード線３３０の端部に設けられた一対からなるものの、使用者の必要によって結合及び分離できるメス端子（ｆｅｍａｌｅ  ｔｅｒｍｉｎａｌ）とオス端子（ｍａｌｅ  ｔｅｒｍｉｎａｌ）からなる。
【００３０】
リード線３３０は、コイル２３０とコネクタ３５０を電気的に連結する電線である。上述したように、リード線３３０は、絶縁ブロック３１０の外部でＵ字状にベンディングされて絶縁ブロック３１０に付着及び固定される。このように、リード線３３０をＵ字状にベンディングする場合、リード線３３０に生じた水気は、ベンディング部位で落ちて絶縁ブロック３１０の内部には流入されない。これをさらに詳説すれば、本実施形態によるソレノイド弁は、その配設時にバルブ１００が下方を向けるように配設される。したがって、リード線３３０に生じた水気がワイヤチューブ３４０に沿って流れても、ワイヤチューブ３４０のベンディング部位（図３の３３２）で落ちるので、絶縁ブロック３１０の内部に水気が流入することを防ぐことができる。特に、リード線３３０が挿入される絶縁ブロック３１０の通路３１２にエポキシを塗布する場合、水気が流入されることを確実に防ぐことができる。
【００３１】
ワイヤチューブ３４０は、リード線３３０がエンジンルームで他の部品及びワイヤとの接触により摩耗することを防ぐチューブである。このとき、ワイヤチューブ３４０は、絶縁性及び耐熱性に優れていると共に、機械的強度に優れており、柔らかい編組チューブであることが好ましい。
【００３２】
コネクタ３５０は、ソレノイド弁に電源を供給するためのものであって、エンジンルームに配設されたワイヤーハーネスと連結される。
【００３３】
図４に示されたように、本実施形態によるリード線コネクタ３００は、運搬及び保管時に嵩を最小限にするようにコネクタ３５０を固定するための係止手段３６０をさらに含む。係止手段３６０は、筺体２１０の外壁に設けられた係止片３６２と、コネクタ３５０の外壁に形成された係止溝３６４からなる。
【００３４】
上述の係止片３６２と係止溝３６４を用いる場合、コネクタ３５０が筺体２１０に付着及び固定されるため、リード線コネクタ３００の嵩を最小限にすることができ、運搬及び保管が便利となる。
【００３５】
本実施形態では、コネクタ３５０が筺体２１０に付着した形態を例示しているが、必ずしもこれに限られるのではなく、図５と図６に示されたように、絶縁ブロック３１０に付着及び固定されてもよい。すなわち、係止片３６２が絶縁ブロック３１０の外壁に設けられて、係止溝３６４がコネクタ３５０の外壁に形成されてもよい。
【００３６】
図７に示されたように、本発明の他の実施形態によるソレノイド弁は、オイルの出入りを管理するバルブ１００と、バルブ１００を作動するソレノイド２００と、ソレノイド２００に電源を供給するためのリード線コネクタ３００と、リード線コネクタ３００をソレノイド２００に固定するためのキャップ４００からなる。
【００３７】
本実施形態の構成のうち、バルブ１００、ソレノイド２００、リード線コネクタ３００は、上述した一実施形態と同様であり、該構成に関する詳細な説明は省略する。
【００３８】
キャップ４００は、ソレノイド２００の下段に結合される円筒（ｐｉｐｅ）状である。さらに詳細には、キャップ４００に挿入されたソレノイド２００の下段が貫通されないように下面の部分的に塞がった円筒状を有する。
【００３９】
キャップ４００の側面には、溝４１０と係止片４２０が形成されて、溝４１０と係止片４２０の間にはバンド４３０が突き出る。溝４１０は、キャップ４００の配設時にソレノイド２００の外部に突き出た絶縁ブロック３１０が挟まれる部分であり、係止片４２０は、コネクタ３５０を付着及び固定するための部分である。また、バンド４３０は、コネクタ３５０の付着及び固定時にリード線３３０及びワイヤチューブ３４０が挿入される部分である。このような係止片４２０とバンド４３０は、コネクタ３００の嵩を最小限にして運搬及び保管を容易にする。
【００４０】
図８は、キャップ４００を含むリード線コネクタ３００の変形例を示したものであって、リード線３３０及びワイヤチューブ３４０が固定されるバンド４３０がキャップ４００の底に設けられる。図面には示されていないが、絶縁ブロック３１０が挟まれる溝とコネクタ３５０を付着するための係止片がキャップ４００の側面に形成される。
【００４１】
上述の構造によれば、リード線３３０及びワイヤチューブ３４０をバンド４３０に挟んで嵩を最小限にすることができる。したがって、リード線コネクタ３００を含むソレノイド弁を容易に運ぶか保管することができる。特に、コネクタ３５０は、バンド４３０の開口側に位置されて、バンド４３０に挟まれたリード線３３０及びワイヤチューブ３４０が任意に分離されることを防ぐことができる。
【００４２】
また、本実施形態によれば、リード線３３０及びワイヤチューブ３４０がバンド４３０に挟まれた状態で、コネクタ３５０を図８の矢印方向に押すか引く場合、コネクタ３５０は、キャップ４００から分離されると同時に、バンド４３０に挟まれたリード線３３０及びワイヤチューブ３４０は、バンド４３０から易く離脱する。したがって、作業者は、コネクタワイヤリングを作業しやいので、作業能率を向上させることができる。
【００４３】
以上、好ましい実施形態を通じて本発明を説明したが、上述の実施形態は、本発明の技術的思想を例示的に説明したことに過ぎず、本発明の技術的思想を脱しない範囲内で多様な変化が可能であることは、この分野において通常の知識を有する者であれば理解できるだろう。したがって、本発明の保護範囲は、特定の実施形態でなく、特許請求の範囲に記載された事項によって解釈すべきであり、それと同等な範囲内にある、あらゆる技術的思想も本発明の権利範囲に含まれると解釈されるべきである。
【符号の説明】
【００４４】
１００：バルブ
２００：ソレノイド
３００：リード線コネクタ 
３１０：絶縁ブロック
３１２：通路
３１４：挿入溝
３２０：電源端子
３３０：リード線
３４０：ワイヤチューブ
３５０：コネクタ
３６０：係止手段
３６２：係止片
３６４：係止溝
【図１】
0006488389.tif 000002
【図２】
0006488389.tif 000003
【図３】
0006488389.tif 000004
【図４】
0006488389.tif 000005
【図５】
0006488389.tif 000006
【図６】
0006488389.tif 000007
【図７】
0006488389.tif 000008
【図８】
0006488389.tif 000009